(57)【要約】【課題】  ベビーカー付属の幌やひさしだけではカバーできない方向からの日射しを遮ることが可能で、着脱が簡単で、使用しないときにはかさばらず、軽量な折り畳み式のベビーカー用日除けを得ること。【解決手段】  弾性のある線材で作った枠に、太陽光線を遮りまたは反射する効果を持たせた通気性が良く伸縮性のあるメッシュ素材５を張った遮光板１を、クリップ１３、紐７、フック１０にてベビーカーの開放部を覆うように固定することで全方向からの日射しを遮る。また装着状態でもシート２１に着座した乳幼児の世話が行えるよう、遮光板下部に取り付けたループ９をフック１４に引っかけることで、遮光板下半分の開口状態を保持できるようにする。【選択図】  図１
0003107811.tif 000002
【実用新案登録請求の範囲】
【請求項１】
弾性を持つ線材で作った枠に、太陽光線を遮光もしくは反射する効果を持たせた、伸縮性のある通気性の良いメッシュ素材を張ったものを遮光板とし、これを湾曲させてベビーカーに取り付けることで、ベビーカー付属の幌やひさしではカバーすることのできない方向からの日射しを遮ることが可能な、着脱が容易で軽量かつ折り畳み可能なことを特徴とする、ベビーカー用日除け。
【請求項２】
ベビーカーに装着した状態でも容易に開口することができ、かつその状態を保持できることを特徴とする、請求項１記載のベビーカー用日除け。
【考案の詳細な説明】
【技術分野】
【０００１】  本考案は、ベビーカーに装着する折り畳み式の日除けに関するものである。
【背景技術】
【０００２】  一般に乳幼児と外出する際に使用するベビーカーにおいては、日射しを除けるための幌やひさしが取り付けられている。またこの付属の幌やひさしではカバーできない方向からの日射しを防ぐため、特許公開平９−２２８３「ベビーカー用自在回転式日除け」として出願されているプレート型、実用新案公開平６−４９２６０「ベビーカー用日除け装置」、特許公開２００３−８１０９７「角型幌付ベビーカー用日除け」として出願されているひさし型、特許公開２００３−１０４２０９「ベビーカー用日除け」として出願されているカバー型といったものがある。
【考案の開示】
【考案が解決しようとする課題】
【０００３】  ベビーカー付属の幌やひさしはその大きさから限られた方向からの日射ししか遮ることができない。特に正面や側面から差し込む日射しはほとんど遮ることができず、乳幼児がまぶしがるだけでなく、暑さによりあせもの発生やひいては日射病、熱射病、有害な紫外線による皮膚障害が発生するおそれがある等、健康上問題が多い。【０００４】  この欠点を克服するため、後からベビーカーに装着できる日除けが各種考案されている。しかしながらプレート型は使用時じゃまにならないよう日除け板の大きさをあまり広くとることができないため、影となる部分が少なく一部しか日射しを遮ることができない。またベビーカーの向きを変えるたびに日除け板の位置を再調整する必要がある。ひさし型も日射しを遮る範囲が少なく、特に前面からの日射しの日除け効果が充分でない。カバー型は全方向からの日射しを遮ることができるが、風にまくられやすくなるため、留め具の数を多くする必要がある。またカバー用の素材面積が広くなるため、畳んだ際にかさばるといった欠点がある。【０００５】  よって本考案はベビーカー付属の幌やひさしだけではカバーできない方向からの日射しを遮ることができ、着脱が簡単で、使用しないときにはかさばらず、軽量な折り畳み式のベビーカー用日除けを得ることを目的とする。
【課題を解決するための手段】
【０００６】  請求項１に係る考案は、弾性のある線材で作った枠に、太陽光線を遮りまたは反射する効果を持たせた通気性が良く伸縮性のあるメッシュ素材を張った遮光板を、クリップ、紐、フックにてベビーカーの開放部を覆うように固定することで全方向からの日射しを遮ることを特徴とする。【０００７】  請求項２に係る考案は、請求項１に係る考案において遮光板下部に取り付けたループを、ベビーカー本体に取り付けるためのクリップに設けたフックに引っかけることで、遮光板下半分の開口状態を保持できることを特徴とする。
【考案の効果】
【０００８】  ベビーカー付属の幌、ひさしがカバーしていない、前面および側面のほぼ全面を覆うことができるので、全方位からの日射しを遮ることができる。【０００９】  メッシュ素材を使っているため、ベビーカーの開放部全面を覆っても通気性を損なわない。また親は中の状況を確認でき、子も外を見ることができるため、双方の安心感が高い。【００１０】  遮光板は弾性を持つ線材で作った枠組みに伸縮性のあるメッシュ素材を張っているため、ベビーカーの形状に合わせて湾曲させてもたるみが出ず、装着後は優美なカーブを持った形状となるため、見栄えが良い。【００１１】  広がろうとする性質を有する遮光板をベビーカーの骨格に沿わせて装着するため、非装着時は軽量、柔軟でありながら、装着後は形状を維持する力が強く、風が強いときにもまくられにくい。【００１２】  柔軟な構造のため、着座している乳幼児がぶつかっても危険がない。【００１３】  遮光板下部のループをクリップに設けたフックにかけることで、容易に下半分を開口状態に保持できるため、遮光板を取り外さなくても着座した乳幼児の世話が可能である。【００１４】  使用しないときには遮光板をひねって枠を円状に重ね合わせることで素早く折り畳むことができる。畳んだ後はクリップで挟んでおけば戻らないので保管が容易である。また使用するときはクリップを外すだけで瞬時に広がるため、手間がかからない。【００１５】  ベビーカー本体の加工が不要であり、装着はクリップ、紐、フックを利用するため脱着が簡単である。
【考案を実施するための最良の形態】
【００１６】  鋼製の針金等、弾性のある線材で枠を作る。これをバイアステープでくるみ、これに太陽光線を遮りまたは反射する効果を持たせた通気性が良く伸縮性のあるメッシュ素材を張り、遮光板とする。遮光板の左右に空けた孔にベビーカーへ固定するための紐を装着する。紐には長さを簡単に調整できるよう紐留めを付ける。遮光板下部の中央にはループを、左右にはフックを付けたゴム紐を通すための孔を空ける。【００１７】  遮光板を幌、ひさしに止めるためのクリップには、遮光板下部に設けたループをかけるためのフックを設ける。
【実施例】
【００１８】  以下本考案に係るベビーカー用折り畳み式日除けを図面に基づいて説明する。図１は本考案の日除けを装着したベビーカーの斜視図である。図中符号１は日除け本体となる遮光板を示している。符号２はベビーカー本体であり、車輪１５を有する左右各一対の前脚１６と同様に車輪１５を有する左右各一対の後脚１７、ハンドル１８、左右一対の肘掛け１９とその肘掛け１９と１９の間に渡されたフロントガード２０によって組まれた骨格に、シート２１と幌２２が装着され、折り畳みが可能なベビーカーを構成している。【００１９】  図２は本考案による日除け本体の正面図である。鋼製の針金等、弾性のある線材３で枠を作る。これをバイアステープ４でくるみ、これに太陽光線を遮りまたは反射する効果を持たせた通気性が良く伸縮性のあるメッシュ素材５を張り、遮光板１とする。遮光板の左右に空けた孔６にベビーカーへ固定するための紐７を装着する。紐７には長さを簡単に調整できるよう紐留め８を付ける。遮光板下部の中央にはループ９を、左右にはフック１０を付けたゴム紐１１を通すための孔１２を空ける。【００２０】  図３は遮光板を幌、ひさしに止めるためのクリップ１３の斜視図である、クリップ１３には、遮光板下部に設けたループ９をかけるためのフック１４を設ける。【００２１】  実際の装着であるが、乳幼児をシート２１に着座させた後、幌２２の上部にクリップ１３で遮光板１の枠上部を留める。紐７を幌２２の後ろに廻し、紐留め８をスライドさせて紐７を引き絞り、遮光板１の枠を幌２２に密着させる。遮光板１下部の左右に設けたフック１０を付けたゴム紐１１を、ベビーカーの前脚１６等に廻して固定することで装着は完了する。【００２２】  乳幼児をシート２１に着座させたまま世話をするときは、図４のように、フック１０を付けたゴム紐１１を外し、遮光板１下部のループ９を、幌２２と遮光板１を挟んで固定しているクリップ１３のフック１４にかけることで、下半分を開口状態で保持する。【００２３】  使用しないときは、遮光板１をひねって枠を円状に重ね合わせて折り畳み、クリップ１３で留めて保管する。【００２４】  なお上記実施の形態において遮光板１の固定には、孔に通した紐と紐留め、ゴム紐とフックによる方法を示したが、この方法以外にも、孔をループに、紐の代わりにベルト、これを留めるためのものとしてバックル等にすることも可能である。
【図面の簡単な説明】
【００２５】
【図１】本考案のベビーカー用折り畳み式日除けをベビーカーに装着した状態の斜視図であ
【図２】本日除け全体の正面図である。バイアステープでくるんだ中の線材を示すため、右上部を一部切り欠いて表示している。
【図３】本日除けをベビーカーに装着するためのフック付きクリップの斜視図である。
【図４】本日除けの下部を開口状態にした斜視図である。
【符号の説明】
【００２６】１    遮光板
２    ベビーカー
３    線材
４    バイアステープ
５    メッシュ素材
６    紐を取り付ける孔
７    紐
８    紐留め
９    ループ
１０  フック
１１  ゴム紐
１２  ゴム紐を通す孔
１３  クリップ
１４  ループをかけるフック
１５  車輪
１６  前脚
１７  後脚
１８  ハンドル
１９  肘掛け
２０  フロントガード
２１  シート
２２  幌
【図１】
0003107811.tif 000003
【図２】
0003107811.tif 000004
【図３】
0003107811.tif 000005
【図４】
0003107811.tif 000006